(57)【要約】      （修正有）【課題】注湯流量が調整可能である電気ポットを提供すること。【解決手段】第１の貫通開口６ａおよび第２の貫通開口７ａを少なくとも備える隔壁１６は、注湯管路に対して横断方向に設けられており、ならびに、シャッタ２０は、シャッタが第１の貫通開口および第２の貫通開口を閉鎖する注湯管路の閉鎖位置と、第１の注湯流量を規定する第１の開放位置であって、シャッタが第１の貫通開口だけを解放する第１の開放位置と、第２の注湯流量を規定する第２の開放位置であって、シャッタが第１の貫通開口および第２の貫通開口を解放する第２の開放位置の間で可動である。【選択図】図２
2019048040.tif 000002
【特許請求の範囲】
【請求項１】
電気加熱底部の上方に設けられた本体部（３）と、水を沸騰まで持っていくためのタンクを形成する蓋（１０）とを備えるポット（１）であって、注湯管路（１５）と、前記注湯管路（１５）の閉鎖位置と前記注湯管路（１５）の少なくとも１つの開放位置の間で可動なシャッタ装置（２０）とを備えるポット（１）において、第１の貫通開口（６ａ、．．．、６ｆ）および第２の貫通開口（７ａ、．．．、７ｒ）を少なくとも備える隔壁（１６）が前記注湯管路（１５）に対して横断方向に設けられていること、ならびに、前記シャッタ装置（２０）は、前記シャッタ装置（２０）が前記第１の貫通開口（６ａ、．．．、６ｆ）および前記第２の貫通開口（７ａ、．．．、７ｒ）を閉鎖する前記注湯管路（１５）の閉鎖位置と、第１の注湯流量を規定する第１の開放位置であって、前記シャッタ装置（２０）が前記第１の貫通開口（６ａ、．．．、６ｆ）だけを解放する第１の開放位置と、第２の注湯流量を規定する第２の開放位置であって、前記シャッタ装置（２０）が前記第１の貫通開口（６ａ、．．．、６ｆ）および前記第２の貫通開口（７ａ、．．．、７ｒ）を解放する第２の開放位置の間で可動であることを特徴とするポット（１）。
【請求項２】
前記隔壁（１６）は前記蓋（１０）の中に設けられることを特徴とする請求項１に記載のポット（１）。
【請求項３】
前記隔壁（１６）は前記蓋（１０）の底部隔壁（１７）の一部をなすことを特徴とする請求項２に記載のポット（１）。
【請求項４】
前記蓋（１０）は注ぎ口（１１）を備えることを特徴とする請求項１乃至３のいずれか一項に記載のポット（１）。
【請求項５】
前記シャッタ装置はシャッタ（２０）を備えることを特徴とする請求項１乃至４のいずれか一項に記載のポット（１）。
【請求項６】
前記シャッタ（２０）は方向Ａに沿って平行移動することを特徴とする請求項５に記載のポット（１）。
【請求項７】
前記シャッタ（２０）は、方向Ａに沿って延びて前記第２の貫通開口（７ａ、．．．、７ｒ）の断面積と同じ横断断面積を有するピン状突起（８ａ、．．．、８ｒ）を備え、前記ピン状突起（８ａ、．．．、８ｒ）は前記第２の貫通開口（７ａ、．．．、７ｒ）の中を、前記ピン状突起（８ａ、．．．、８ｒ）が前記第２の貫通開口（７ａ、．．．、７ｒ）内に配置される閉鎖位置または前記第１の開放位置と、前記ピン状突起（８ａ、．．．、８ｒ）が前記第２の貫通開口（７ａ、．．．、７ｒ）の外へ平行移動する前記第２の開放位置の方へ摺動するように適合されることを特徴とする請求項６に記載のポット（１）。
【請求項８】
前記シャッタ（２０）は、シール（２２）を有する弁（２１）を備え、前記シール（２２）を有する弁（２１）は、前記シャッタが閉鎖位置にあるとき、前記第１の開口（６ａ、．．．、６ｆ）および前記第２の開口（７ａ、．．．、７ｒ）を閉鎖することを特徴とする請求項５乃至７のいずれか一項に記載のポット（１）。
【請求項９】
前記シャッタ（２０）の操作ボタン（３０）を備え、前記操作ボタン（３０）は回転可動であり、安定した３つの位置を有することを特徴とする請求項５乃至８のいずれか一項に記載のポット（１）。
【請求項１０】
前記操作ボタン（３０）は、異なる傾斜の２つの扇形（３１ａ、３１ｂ）を有するカム（３１）を備えることを特徴とする請求項９に記載のポット（１）。
【請求項１１】
前記第１の貫通開口（６ａ、．．．、６ｆ）および前記第２の貫通開口（７ａ、．．．、７ｒ）は円筒形であることを特徴とする請求項１乃至１０のいずれか一項に記載のポット（１）。
【発明の詳細な説明】
【技術分野】
【０００１】
本発明は、液体加熱器具、とりわけ電気ポットであって、電気加熱底部、本体部、および水を沸騰まで持っていくためのタンクを形成する蓋を備える電気ポットに関し、より詳細には注湯流量が調整可能であるポットに関する。
【背景技術】
【０００２】
たとえば特許文献１により、電気加熱底部の上方に設けられた本体部と、水を沸騰まで持っていくためのタンクを形成する蓋とを備える電気ポットであって、注湯管路と、注湯管路の閉鎖位置と注湯管路の少なくとも１つの開放位置の間で可動なシャッタとを備えるポットが知られている。ポットは、押しボタンを有するシャッタ操作手段を備える。ボタンを多少強めに押すことにより、シャッタは閉鎖位置から開放位置まで、その間に複数の中間位置を通りながら移動し、ユーザーはその複数の中間位置で複数の注湯流量を得ることができる。
【０００３】
ただし、このシャッタの中間位置は使用のたびに定量の反復性のある注湯流量が得られる安定した位置ではない。そのため、ユーザーは、シャッタを最大開放位置に開いておいて、多少ポットの傾きを調整することで注湯流量を管理するということになりがちである。
【０００４】
さらに、湯を注ぐには、ボタンに対する一定の圧力を維持してシャッタを開放位置に移動させなければならない。
【先行技術文献】
【特許文献】
【０００５】
【特許文献１】ＦＲ２７５６４７６
【発明の概要】
【発明が解決しようとする課題】
【０００６】
本発明の目的の１つは、上述の不都合に対処して、単純で人間工学的な実装と使用時の安全性とを備えたポットを提案することにある。
【０００７】
本発明のもう１つの目的は、設計が単純で経済的に実施することができるポットを提案することにある。
【課題を解決するための手段】
【０００８】
これらの目的は、電気加熱底部の上方に設けられた本体部と、水を沸騰まで持っていくためのタンクを形成する蓋とを備えるポットであって、注湯管路と、注湯管路の閉鎖位置と注湯管路の少なくとも１つの開放位置の間で可動なシャッタ装置とを備えるポットにおいて、第１の貫通開口および第２の貫通開口を少なくとも備える隔壁が注湯管路に対して横断方向に設けられていること、ならびに、シャッタ装置は、シャッタ装置が第１の貫通開口および第２の貫通開口を閉鎖する注湯管路の閉鎖位置と、第１の注湯流量を規定する第１の開放位置であって、シャッタ装置が第１の貫通開口だけを解放する第１の開放位置と、第２の注湯流量を規定する第２の開放位置であって、シャッタ装置が第１の貫通開口および第２の貫通開口を解放する第２の開放位置の間で可動であることを特徴とするポットによって果たされる。
【０００９】
隔壁が注湯管路に対して横断方向に設けられるとは、ポットのタンクから外に注がれる湯が少なくとも第１の貫通開口および／または第２の貫通開口のみを通り抜けることを意味する。
【００１０】
貫通開口とは、１つの貫通開口または一群の貫通開口を意味する。
【００１１】
第１の貫通開口は、シャッタ装置が第１の開放位置にあるときに第１の注湯流量を規定する湯の第１の通過断面を有する。第２の貫通開口は、第１の通過断面と組み合わされることで、シャッタ装置が第２の開放位置にあるときに第２の注湯流量を規定する湯の第２の通過断面を有する。そのため、ポットの製造時に容易に管理することのできる第１の断面積と第２の断面積に関する製造のばらつきだけが第１の注湯流量および第２の注湯流量の精度に影響する。そのため、第１の断面積および第２の断面積は完璧に定量化され、正確で毎回反復性のある第１の注湯流量および第２の注湯流量を規定するが、それがポット内の水位にかかわりなく行われることは特筆される。
【００１２】
第１の流量はとりわけ抑制的な流量で注湯の高い精度を可能にするものであり、第２の流量は、器に注ぐ際の迅速性を高めることができる、むしろ高めの流量となる。
【００１３】
有利には、第１の断面積と第１の断面積および第２の断面積の合計との比は０．３未満である。
【００１４】
有利には、隔壁は蓋の中に設けられる。
【００１５】
この配置では、ポットの本体部を複雑にすることなく、流量管理機能を蓋の中に置くことができる。
【００１６】
好ましくは、隔壁は蓋の底部隔壁の一部をなす。
【００１７】
有利には、蓋は注ぎ口を備える。
【００１８】
そのため、注ぎ口によって形成される注湯管路の端部も蓋と一体化される。
【００１９】
有利には、シャッタ装置はシャッタを備える。
【００２０】
そのため、１つの部品だけで第１の貫通開口と第２の貫通開口の開閉を行うことができる。
【００２１】
好ましくは、シャッタは方向Ａに沿って平行移動する。
【００２２】
平行移動はポット内で容易に行うことのできる運動であり、それによってポットの設計を単純化することができる。
【００２３】
有利には、シャッタは、方向Ａに沿って延びて第２の貫通開口の断面積と同じ横断断面積を有するピン状突起を備え、ピン状突起は第２の貫通開口の中を、ピン状突起が第２の貫通開口内に配置される閉鎖位置または第１の開放位置と、ピン状突起が第２の貫通開口の外へ平行移動する第２の開放位置の方へ摺動するように適合される。
【００２４】
そのため、シャッタの閉鎖位置または第１の注湯流量を規定する第１の開放位置では、ピン状突起は第２の貫通開口を閉ざし、第２の注湯流量を規定する第２の位置に移動するときは、ピン状突起は摺動して第２の貫通開口を解放する。
【００２５】
好ましくは、シャッタはシールを有する弁を備え、そのシールを有する弁は、シャッタが閉鎖位置にあるとき、第１の開口および第２の開口を閉鎖する。
【００２６】
この配置は、転倒時などにポットの密閉を得ることを可能にする。
【００２７】
有利には、ポットはシャッタの操作ボタンを備え、操作ボタンは回転可動であり、安定した３つの位置を有する。
【００２８】
そのため、シャッタの位置が操作ボタンによっていったん定まれば、ユーザーはポットを傾けて湯を注ぐだけである。
【００２９】
好ましくは、操作ボタンは、異なる傾斜の２つの扇形を有するカムを備える。
【００３０】
そのため、傾斜の小さい方のカムの扇形の回転はシャッタに作用してシャッタをその閉鎖位置から第１の注湯位置へと移動させ、傾斜の大きい方のカムの扇形の回転はシャッタに作用してシャッタをその閉鎖位置から第２の注湯位置へと移動させる。
【００３１】
有利には、第１の貫通開口および第２の貫通開口は円筒形である。
【００３２】
このような構造は特に第２の貫通開口におけるピン状突起の調整を容易にする。
【００３３】
本発明は、何ら限定的でないものとして取り上げ、添付の図面によって図解した実施形態を検証することによってよりよく理解されよう。
【図面の簡単な説明】
【００３４】
【図１】本発明の具体的な実施形態によるポットの斜視図である。
【図２】図１に示したポットの蓋およびシャッタの分解斜視図である。
【図３】図２に示した蓋の下部ケースの矢印ＩＩＩ沿いの上部、および下部ケースに対して側方にずらしたシャッタの部分分解図である。
【図４】シャッタが閉鎖位置にあるときの、図１に示したポットの蓋のＩＶ−ＩＶ断面であり、図３に示した蓋のＩＶ−ＩＶ断面でもある断面図である。
【図５】シャッタが第１の注湯位置にあるときの、図１に示したポットの蓋の立面図である。
【図６】シャッタが第２の注湯位置にあるときの、図１に示したポットの蓋の立面図である。
【発明を実施するための形態】
【００３５】
本明細書では、ポットについて説明するために用いる「水平」、「垂直」、「下部」、「上部」、「上」、「下」の表現は、ポットを水平な作業面に置いた使用状態のポットについてのものであることに留意されたい。
【００３６】
図１から６に示された実施例では、ポット１は、コード（図示せず）によって電源供給されるベース部２と、水の入れ物をなす本体部３とを備える。本体部３は、蓋１０によって閉ざされる補給のための上部開口部４を備える。蓋１０は、上部開口部４のレベルに位置する注ぎ口１１を備える。ポット１は、上部開口部に関して注ぎ口１１と反対側に位置するハンドル５を備える。本体部３は、垂直軸７０を有するほぼ円筒形である。蓋１０は本体部３に対して取外し可能であり、蓋１０は、本体部３の垂直軸７０とほぼ平行な平行移動動作によって本体部３に水密に組み立てられるようになっている。
【００３７】
本体部３はステンレス鋼製の皿部からなる加熱底を備えており、その下にアルミニウム製ディフューザと加熱要素（図示せず）が配置される。加熱底を備えた本体３と蓋１０は水を沸騰まで持っていくためのタンクを形成する。
【００３８】
図２から４で見て取れるように、蓋１０は下部ケース１２、中間部１３および上部ケース１４を備える。蓋１０は湯の注湯管路１５を備え（図４）、注ぎ口１１は注湯管路１５の出口端を形成する。注湯管路１５は、湯が通ることのできる６つの第１の貫通開口６ａ、６ｂ、６ｃ、６ｄ、６ｅ、６ｆおよび１８の第２の貫通開口７ａ、７ｂ、７ｃ、．．．、７ｒを具備する隔壁１６を備える（図３）。６つの第１の貫通開口６ａ、６ｂ、６ｃ、６ｄ、６ｅ、６ｆおよび１８の第２の貫通開口７ａ、７ｂ、７ｃ、．．．、７ｒはいずれも同一で、円筒形である。隔壁１６はほぼ水平であり、下部ケース１２の底部隔壁１７の一部をなしている。隔壁１６は注湯管路１５の入口端を形成する。図４では、注湯管路１５内における湯の通過経路を矢印で示している。
【００３９】
蓋１０は、垂直軸７０と平行な方向Ａであって、隔壁１６が延びる水平面と直交する方向Ａに沿って平行移動するシャッタ２０を有するシャッタ装置を備える。シャッタ２０は隔壁１６の下に設けられた弁２１を備える。弁２１はディスクの形をなしており、隔壁１６と協働するようにされた外周シール２２を備える。弁２１は上面２３を有しており、そこから１８のピン状突起８ａ、８ｂ、８ｃ、．．．８ｒが方向Ａに沿って延びる（図３）。それぞれのピン状突起８ａ、．．．、８ｒは第２の貫通開口７ａ、．．．、７ｒと協働するようにされている。それぞれのピン状突起８ａ、．．．、８ｒは円筒形であり、第２の貫通開口７ａ、．．．、７ｒのそれぞれの断面と同じ横断面を有する。
【００４０】
シャッタ２０は、シール２２を有する弁２１が６つの第１の貫通開口６ａ、．．．、６ｆおよび１８の第２の貫通開口７ａ、．．．、７ｒ（図４）を閉ざす注湯管路１５の閉鎖位置と２つの開放位置（図５および６）の間で可動である。
【００４１】
第１の開放位置（図５）は、１８のピン状突起８ａ、．．．、８ｒが１８の第２の貫通開口７ａ、．．．、７ｒを閉ざして、シャッタ２０が６つの第１の貫通開口６ａ、．．．、６ｆだけを解放する第１の注湯流量を規定する。そのため、第１の注湯流量は、シャッタによって解放された６つの貫通開口６ａ、．．．、６ｆの断面積の合計によって規定される。この６つの貫通開口６ａ、．．．、６ｆのグループは第１の貫通開口と等価である。点線の矢印は、注湯管路１５内における湯の通過経路を示している。
【００４２】
第２の開放位置（図６）は、第１の開放位置ですでに解放された６つの第１の貫通開口に加えて、シャッタが１８の第２の貫通開口７ａ、．．．、７ｒを解放する第２の注湯流量を規定する。この１８の第２の貫通開口７ａ、．．．、７ｒのグループは第２の貫通開口と等価である。そのため、第２の注湯流量は、シャッタによって解放された６つの第１の貫通開口６ａ、．．．、６ｆと１８の第２の貫通開口７ａ、．．．、７ｒの断面積の合計によって規定される。６つの第１の貫通開口６ａ、．．．、６ｆおよび１８の第２の貫通開口７ａ、．．．、７ｒの数が多いことから、第１の開放位置でも、第２の開放位置でも、注湯管路１５内の湯の流速を制限することができる。点線の矢印は、注湯管路１５内における湯の通行経路を示している。
【００４３】
それぞれのピン状突起８ａ、．．．、８ｒは、対応する第２の貫通開口７ａ、．．．、７ｒの中を、ピン状突起８ａ、．．．、８ｒが第２の貫通開口７ａ、．．．、７ｒ内に配置される閉鎖位置または第１の開放位置と、ピン状突起８ａ、．．．、８ｒがポット１のタンクの内部に向かって第２の貫通開口７ａ、．．．、７ｒの外へ平行移動する第２の開放位置の方へ摺動するように適合されている。
【００４４】
図２および４に示すように、シャッタ２０は、弁２１の上面２３から方向Ａに沿って延びる軸２４を備える。アクチュエータ２５は軸２４の自由端に設けられている。蓋１０の中間部１３に設けられた案内要素２６（図４）は、アクチュエータ２５の方向Ａ沿いの平行移動の案内を、さらに同様の案内を軸２４、弁２１およびピン状突起８ａ、．．．、８ｒについて行うことができる。隔壁１６は、軸２４、弁２１およびピン状突起８ａ、．．．、８ｒの平行移動の案内開口部２７をさらに備える。
【００４５】
シャッタ２０の操作ボタン３０は蓋１０の中に設けられている。操作ボタン３０は回転可動であり、３つの安定した位置を有する。すなわち、中央の位置、右の位置、左の位置である。操作ボタン３０は、傾斜の異なる２つの扇形３１ａ、３１ｂを含む輪郭を持つ円筒形のカム３１（図２）を備える。カム３１は、アクチュエータ２５と一体をなすタペット２８と協働する。小さい方の傾斜を有する扇形３１ａはタペット２８と協働して、シャッタ２０をその第１の開放位置に動かす。大きい方の傾斜を有する扇形３１ｂはタペット２８と協働して、シャッタ２０をその第２の開放位置に動かす。扇形３１ａ、３１ｂは互い違いに配設される。そのため、操作ボタン３１の中央の位置はシャッタ２０の閉鎖位置に対応する。操作ボタン３０を時計方向に回すと、操作ボタンは右の位置に移動してシャッタ２０をその第１の開放位置に移動させ、操作ボタン３０を反時計方向に回すと、操作ボタンは左の位置に移動してシャッタ２０をその第２の開放位置に移動させる。案内要素２６とアクチュエータ２５の間には、タペット２８をカム３１と接触した状態に戻すための戻しばね２９（図４）が設けられている。
【００４６】
使用時、操作ボタン３０が中央の位置にあるとき、シャッタ２０は注湯管路１５の閉鎖位置にあり、６つの第１の貫通開口６ａ、．．．、６ｆおよび１８の第２の貫通開口７ａ、．．．、７ｒは閉ざされている。
【００４７】
少なめの流量で湯を注ぎたいユーザーは、操作ボタン３１を右の位置へ回し、シャッタ２０をその第１の開放位置に移動させる。第１の開放位置は、弁２１が平行移動して６つの第１の貫通開口６ａ、．．．、６ｆを解放する少なめの第１の注湯流量を規定する。弁２１の１８のピン状突起８ａ、．．．、８ｒは１８の第２の貫通開口７ａ、．．．、７ｒ内を平行移動し、それらを閉じた状態に保つ。その状態で、ユーザーはポット１のハンドル５をつかんで、少なめの流量で湯を器に注ぐことができる。
【００４８】
多めの流量で湯を注ぎたいユーザーは、操作ボタン３０を左の位置へ回し、シャッタ２０をその第２の開放位置に移動させる。第２の開放位置は、弁２１の１８のピン状突起８ａ、．．．、８ｒが１８の第２の貫通開口７ａ、．．．、７ｒの外へ平行移動することで、第１の開放位置ですでに解放された６つの第１の貫通開口に加えて、それらを解放する第２の注湯流量を多めに規定する。その状態で、ユーザーはポット１のハンドル５をつかんで、多めの流量で湯を器に注ぐことができる。
【００４９】
本発明が、あくまでも例としてのみ取り上げて説明し、図示した実施形態だけにいささかも限定されるものでないことは言うまでもない。様々な要素の構成の観点からの変更や技術的等価物での置換えによる変更などは、それによって本発明の保護対象領域から外れることなくなお可能である。
【００５０】
図示しない変形形態では、シャッタは、第１の貫通開口および第２の貫通開口を備える隔壁の延長面と平行な方向に沿って平行移動する。
【００５１】
第１の変形形態では、シャッタ装置は、第１の貫通開口を閉鎖または解放することができる第１のシャッタと、第２の貫通開口を閉鎖または解放することができる第２のシャッタとを備える。
【００５２】
第２の変形形態では、隔壁は、第１の貫通開口および第２の貫通開口に加え、第３の貫通開口を備える。可動シャッタ装置は、シャッタ装置が第１の貫通開口、第２の貫通開口および第３の貫通開口を解放する第３の注湯流量を規定する第３の開放位置を有する。シャッタ装置は、第３の貫通開口と協働する第２のピン状突起を具備するシャッタを備えることができ、第２のピン状突起は第２の貫通開口と協働するピン状突起よりも長い。操作ボタンは、最初の２つの扇形とは異なる傾斜の第３の扇形を有するカムを備えることができる。
【図１】
2019048040.tif 000003
【図２】
2019048040.tif 000004
【図３】
2019048040.tif 000005
【図４】
2019048040.tif 000006
【図５】
2019048040.tif 000007
【図６】
2019048040.tif 000008
【外国語明細書】
2019048040000001.pdf